(57)【特許請求の範囲】
【請求項１】
衛星信号を受信する受信手段と、
表示手段と、
操作手段と、
タイムゾーンデータの表示を指示する前記操作手段の第１操作を検出すると、設定されているタイムゾーンデータを前記表示手段に表示させる表示制御部と、
前記表示手段にタイムゾーンデータが表示されている場合に、測位モードの受信開始を指示する前記操作手段の第２操作を検出すると、前記受信手段を作動して測位モードの受信処理を実行し、位置情報を取得する測位部と、
取得された位置情報に基づいてタイムゾーンデータを設定するタイムゾーン設定部と、を備える
ことを特徴とする電子機器。
【請求項２】
請求項１に記載の電子機器において、
前記測位部は、前記表示手段にタイムゾーンデータが表示されていない場合に、前記第２操作を検出すると、受信処理を実行する
ことを特徴とする電子機器。
【請求項３】
請求項１または請求項２に記載の電子機器において、
前記電子機器は、前記表示手段にタイムゾーンデータが表示されている場合に、測時モードの受信開始を指示する前記操作手段の第３操作を検出すると、前記受信手段を作動して測時モードの受信処理を実行し、時刻情報を取得する測時部を備える
ことを特徴とする電子機器。
【請求項４】
請求項３に記載の電子機器において、
前記測時部は、前記表示手段にタイムゾーンデータが表示されていない場合に、前記第３操作を検出すると、受信処理を実行する
ことを特徴とする電子機器。
【請求項５】
請求項３または請求項４に記載の電子機器において、
前記表示手段は指針を備え、
前記表示制御部は、
前記第１操作を検出すると、設定されているタイムゾーンデータを前記指針に指示させ、
前記指針がタイムゾーンデータを指示している場合に、前記第２操作を検出すると、測位モードを前記指針に指示させ、前記第３操作を検出すると、測時モードを前記指針に指示させる
ことを特徴とする電子機器。
【請求項６】
請求項１から請求項５のいずれか一項に記載の電子機器において、
前記表示制御部は、前記表示手段にタイムゾーンデータが表示されている場合に、受信結果の表示を指示する前記操作手段の第４操作を検出すると、受信結果を前記表示手段に表示させる
ことを特徴とする電子機器。
【請求項７】
請求項１から請求項６のいずれか一項に記載の電子機器において、
前記操作手段の操作に応じて、タイムゾーン確認モードおよびタイムゾーン設定モードのいずれか一方を選択して設定するモード設定部を備え、
前記操作手段の前記第１操作であるタイムゾーン確認操作が行われて前記モード設定部でタイムゾーン確認モードが設定されると、前記表示制御部は、設定されているタイムゾーンデータを前記表示手段に表示させ、
前記操作手段のタイムゾーン設定操作が行われて前記モード設定部でタイムゾーン設定モードが設定されると、前記表示制御部は、設定されているタイムゾーンデータを前記表示手段に表示させ、かつ、前記タイムゾーン設定部は、前記操作手段のタイムゾーン変更操作に応じてタイムゾーンデータを設定し、
前記測位部は、前記タイムゾーン確認モードが設定された場合、前記第２操作を検出すると受信処理を実行し、前記タイムゾーン設定モードが設定された場合、前記第２操作を検出すると受信処理を実行しない
ことを特徴とする電子機器。
【請求項８】
請求項１から請求項６のいずれか一項に記載の電子機器において、
前記操作手段の操作に応じて、タイムゾーン確認モードおよびタイムゾーン設定モードのいずれか一方を選択して設定するモード設定部を備え、
前記操作手段の前記第１操作であるタイムゾーン確認操作が行われて前記モード設定部でタイムゾーン確認モードが設定されると、前記表示制御部は、設定されているタイムゾーンデータを前記表示手段に表示させ、
前記操作手段のタイムゾーン設定操作が行われて前記モード設定部でタイムゾーン設定モードが設定されると、前記表示制御部は、設定されているタイムゾーンデータを前記表示手段に表示させ、かつ、前記タイムゾーン設定部は、前記操作手段のタイムゾーン変更操作に応じてタイムゾーンデータを設定し、
前記測位部は、前記タイムゾーン確認モードが設定された場合、前記第２操作を検出すると受信処理を実行し、前記タイムゾーン設定モードが設定された場合、前記第２操作を検出すると受信処理を実行する
ことを特徴とする電子機器。
【請求項９】
請求項７または請求項８に記載の電子機器において、
前記操作手段はリューズとボタンを備え、
前記モード設定部は、前記リューズが０段位置の状態で前記ボタンが押された場合、前記タイムゾーン確認操作を検出する
ことを特徴とする電子機器。
【請求項１０】
請求項７から請求項９のいずれか一項に記載の電子機器において、
前記モード設定部は、前記タイムゾーン確認モードの終了を指示する前記操作手段のタイムゾーン確認終了操作を検出すると、前記タイムゾーン確認モードを終了させる
ことを特徴とする電子機器。
【請求項１１】
請求項７から請求項１０のいずれか一項に記載の電子機器において、
前記モード設定部は、前記タイムゾーン確認モードを設定した後、前記操作手段の操作がない状態で予め設定されたモード継続時間が経過すると、前記タイムゾーン確認モードを終了させる
ことを特徴とする電子機器。
【請求項１２】
衛星信号を受信する受信手段と、表示手段と、操作手段と、を備える電子機器の制御方法であって、
タイムゾーンデータの表示を指示する前記操作手段の第１操作を検出すると、設定されているタイムゾーンデータを前記表示手段に表示させ、
前記表示手段にタイムゾーンデータを表示させている場合に、測位モードの受信開始を指示する前記操作手段の第２操作を検出すると、前記受信手段を作動して測位モードの受信処理を実行し、位置情報を取得し、
取得した位置情報に基づいてタイムゾーンデータを設定する
ことを特徴とする電子機器の制御方法。
【発明の詳細な説明】
【技術分野】
【０００１】
本発明は、衛星信号を受信する電子機器および電子機器の制御方法に関する。
【背景技術】
【０００２】
従来、ＧＰＳ（Global Positioning System）衛星から送信される衛星信号を受信して時刻情報を修正する電子時計が知られている（例えば、特許文献１参照）。
特許文献１の電子時計は、通常時刻表示モードにおいて、電子時計が備える入力装置のボタンが押され、測位モードの強制受信操作が行われた場合、測位モードでの受信処理を実行して位置情報を取得する。そして、取得した位置情報に基づいてタイムゾーンデータを設定する。
また、この電子時計は、入力装置の操作に応じて、タイムゾーンデータを選択して設定できる機能（タイムゾーン設定機能）を備えている。
【先行技術文献】
【特許文献】
【０００３】
【特許文献１】特開２０１４−１９６９５２号公報
【発明の概要】
【発明が解決しようとする課題】
【０００４】
ところで、特許文献１の電子時計のように、タイムゾーン設定機能を備える時計では、通常、タイムゾーン設定機能が実行されると、設定されているタイムゾーンデータが、電子時計が備える指針等によって表示される。このとき、表示されたタイムゾーンデータが現在地のタイムゾーンデータではない場合、ユーザーは、測位モードで受信処理を実行させて、現在地のタイムゾーンデータを自動的に設定したいと考える場合がある。
しかしながら、この場合、タイムゾーン設定機能は通常時刻表示モードとは異なるモードで実行されているため、ユーザーは、入力装置を操作してタイムゾーン設定機能を終了させ、通常時刻表示モードに戻した後、別途入力装置を操作して測位モードで受信処理を実行させる必要がある。このため、操作が煩雑になるという問題があった。
【０００５】
本発明の目的は、簡単な操作によってタイムゾーンデータを設定できる電子機器および電子機器の制御方法を提供することにある。
【課題を解決するための手段】
【０００６】
本発明の電子機器は、衛星信号を受信する受信手段と、表示手段と、操作手段と、タイムゾーンデータの表示を指示する前記操作手段の第１操作を検出すると、設定されているタイムゾーンデータを前記表示手段に表示させる表示制御部と、前記表示手段にタイムゾーンデータが表示されている場合に、測位モードの受信開始を指示する前記操作手段の第２操作を検出すると、前記受信手段を作動して測位モードの受信処理を実行し、位置情報を取得する測位部と、取得された位置情報に基づいてタイムゾーンデータを設定するタイムゾーン設定部と、を備えることを特徴とする。
【０００７】
本発明によれば、ユーザーが操作手段で第１操作を行うと、表示制御部は、設定されているタイムゾーンデータを表示手段に表示させる。そして、この状態でユーザーが操作手段で第２操作を行うと、測位部が受信処理を実行して位置情報を算出して取得する。そして、タイムゾーン設定部が取得された位置情報に基づいてタイムゾーンデータを設定する。
このため、ユーザーは、第１操作を行って設定されているタイムゾーンデータを表示手段に表示させた後、測位部に受信処理を実行させる場合、操作手段を操作してタイムゾーンデータの表示を終了させる必要がなく、タイムゾーンデータが表示されている状態で第２操作を行えばよいので、操作を簡単にできる。
【０００８】
本発明の電子機器において、前記測位部は、前記表示手段にタイムゾーンデータが表示されていない場合に、前記第２操作を検出すると、受信処理を実行することが好ましい。
【０００９】
本発明によれば、表示手段にタイムゾーンデータが表示されていない通常表示モードにおいて、ユーザーが第２操作を行うことで、測位部は受信処理を実行する。
すなわち、測位部の受信開始を指示する操作が、タイムゾーンデータの表示中と通常表示モードとで同じとなる。このため、測位部の受信開始を指示する操作が、タイムゾーンデータの表示中と通常表示モードとで異なる場合と比べて、ユーザーが操作を覚え易くできる。
【００１０】
本発明の電子機器において、前記電子機器は、前記表示手段にタイムゾーンデータが表示されている場合に、測時モードの受信開始を指示する前記操作手段の第３操作を検出すると、前記受信手段を作動して測時モードの受信処理を実行し、時刻情報を取得する測時部を備えることが好ましい。
【００１１】
本発明によれば、表示手段にタイムゾーンデータが表示された状態で、ユーザーが第３操作を行うと、測時部が受信処理を実行して時刻情報を取得する。そして、取得された時刻情報で内部時刻が修正される。
このため、ユーザーは、第１操作を行って設定されているタイムゾーンデータを表示手段に表示させた後、測時部に受信処理を実行させる場合、操作手段を操作してタイムゾーンデータの表示を終了させる必要がなく、タイムゾーンデータが表示されている状態で第３操作を行えばよいので、操作を簡単にできる。
【００１２】
本発明の電子機器において、前記測時部は、前記表示手段にタイムゾーンデータが表示されていない場合に、前記第３操作を検出すると、受信処理を実行することが好ましい。
【００１３】
本発明によれば、表示手段にタイムゾーンデータが表示されていない通常表示モードにおいて、ユーザーが第３操作を行うことで、測時部は受信処理を実行する。
すなわち、測時部の受信開始を指示する操作が、タイムゾーンデータの表示中と通常表示モードとで同じとなる。このため、測時部の受信開始を指示する操作が、タイムゾーンデータの表示中と通常表示モードとで異なる場合と比べて、ユーザーが操作を覚え易くできる。
【００１４】
本発明の電子機器において、前記表示手段は指針を備え、前記表示制御部は、前記第１操作を検出すると、設定されているタイムゾーンデータを前記指針に指示させ、前記指針がタイムゾーンデータを指示している場合に、前記第２操作を検出すると、測位モードを前記指針に指示させ、前記第３操作を検出すると、測時モードを前記指針に指示させることが好ましい。
【００１５】
本発明によれば、ユーザーは、第１操作を行い、指針を確認することで、設定されているタイムゾーンデータを把握でき、さらに、第２操作または第３操作を行って、受信処理を実行させた場合、指針を確認することで、受信処理が実行されていることを把握でき、かつ、受信処理が測位モードか測時モードかを把握できる。
また、１つの指針でタイムゾーンデータと受信モードが指示されるため、異なる指針でタイムゾーンデータと受信モードが指示される場合と比べて、電子機器が備える指針の数を少なくできる。
【００１６】
本発明の電子機器において、前記表示制御部は、前記表示手段にタイムゾーンデータが表示されている場合に、受信結果の表示を指示する前記操作手段の第４操作を検出すると、受信結果を前記表示手段に表示させることが好ましい。
【００１７】
本発明によれば、表示手段にタイムゾーンデータが表示された状態で、ユーザーが第４操作を行うと、表示制御部は、受信結果を表示手段に表示させる。
このため、ユーザーは、第１操作を行って設定されているタイムゾーンデータを表示手段に表示させた後、受信結果を表示させる場合、操作手段を操作してタイムゾーンデータの表示を終了させる必要がなく、タイムゾーンデータが表示されている状態で第４操作を行えばよいので、操作を簡単にできる。
【００１８】
本発明の電子機器において、前記操作手段の操作に応じて、タイムゾーン確認モードおよびタイムゾーン設定モードのいずれか一方を選択して設定するモード設定部を備え、前記操作手段の前記第１操作であるタイムゾーン確認操作が行われて前記モード設定部でタイムゾーン確認モードが設定されると、前記表示制御部は、設定されているタイムゾーンデータを前記表示手段に表示させ、前記操作手段のタイムゾーン設定操作が行われて前記モード設定部でタイムゾーン設定モードが設定されると、前記表示制御部は、設定されているタイムゾーンデータを前記表示手段に表示させ、かつ、前記タイムゾーン設定部は、前記操作手段のタイムゾーン変更操作に応じてタイムゾーンデータを設定し、前記測位部は、前記タイムゾーン確認モードが設定された場合、前記第２操作を検出すると受信処理を実行し、前記タイムゾーン設定モードが設定された場合、前記第２操作を検出すると受信処理を実行しないことが好ましい。
【００１９】
本発明によれば、ユーザーがタイムゾーン確認操作を行うと、モード設定部は、タイムゾーン確認モードを設定し、ユーザーがタイムゾーン設定操作を行うと、モード設定部は、タイムゾーン設定モードを設定する。
そして、タイムゾーン確認モードが設定された場合に、ユーザーが第２操作を行うと、測位部は受信処理を実行する。
このため、ユーザーは、タイムゾーン確認モードが設定された場合に、測位部に受信処理を実行させる場合、操作手段を操作してタイムゾーンデータの表示を終了させる必要がなく、タイムゾーンデータが表示されている状態で第２操作を行えばよいので、操作を簡単にできる。
また、タイムゾーン設定モードが設定された場合に、ユーザーが第２操作を行うと、測位部は受信処理を実行しない。
これによれば、タイムゾーン設定モードが設定され、例えば、ユーザーが操作手段を操作して現在地とは異なる地域のタイムゾーンデータを設定したい場合に、誤って第２操作を行ったとしても、測位部は受信処理を実行しないため、当該受信処理によって現在地のタイムゾーンデータが設定されることを防止できる。
【００２０】
本発明の電子機器において、前記操作手段の操作に応じて、タイムゾーン確認モードおよびタイムゾーン設定モードのいずれか一方を選択して設定するモード設定部を備え、前記操作手段の前記第１操作であるタイムゾーン確認操作が行われて前記モード設定部でタイムゾーン確認モードが設定されると、前記表示制御部は、設定されているタイムゾーンデータを前記表示手段に表示させ、前記操作手段のタイムゾーン設定操作が行われて前記モード設定部でタイムゾーン設定モードが設定されると、前記表示制御部は、設定されているタイムゾーンデータを前記表示手段に表示させ、かつ、前記タイムゾーン設定部は、前記操作手段のタイムゾーン変更操作に応じてタイムゾーンデータを設定し、前記測位部は、前記タイムゾーン確認モードが設定された場合、前記第２操作を検出すると受信処理を実行し、前記タイムゾーン設定モードが設定された場合、前記第２操作を検出すると受信処理を実行することが好ましい。
【００２１】
本発明によれば、タイムゾーン確認モードまたはタイムゾーン設定モードが設定された場合に、ユーザーが第２操作を行うと、測位部は受信処理を実行する。
このため、ユーザーは、タイムゾーン確認モードまたはタイムゾーン設定モードが設定された場合に、測位部に受信処理を実行させる場合、操作手段を操作してタイムゾーンデータの表示を終了させる必要がなく、タイムゾーンデータが表示されている状態で第２操作を行えばよいので、操作を簡単にできる。
【００２２】
本発明の電子機器において、前記操作手段はリューズとボタンを備え、前記モード設定部は、前記リューズが０段位置の状態で前記ボタンが押された場合、前記タイムゾーン確認操作を検出することが好ましい。
【００２３】
本発明によれば、ユーザーは、リューズが０段位置の状態でボタンを押すことで、タイムゾーン確認操作を行うことができるので、リューズを１段位置や２段位置に引き出すことでタイムゾーン確認操作が行われる場合と比べて、タイムゾーン確認操作を簡単にできる。
このため、ユーザーは、タイムゾーン確認操作を行ってタイムゾーン確認モードを設定することで、設定されているタイムゾーンデータを簡単な操作で確認できる。また、ユーザーは、タイムゾーン確認モードを終了させる場合、リューズを０段位置に戻す必要がないため、リューズの戻し忘れを防止できる。
【００２４】
本発明の電子機器において、前記モード設定部は、前記タイムゾーン確認モードの終了を指示する前記操作手段のタイムゾーン確認終了操作を検出すると、前記タイムゾーン確認モードを終了させることが好ましい。
【００２５】
本発明によれば、ユーザーは、タイムゾーン確認終了操作を行うことで、直ちにタイムゾーン確認モードを終了させ、通常表示モードに戻すことができる。
【００２６】
本発明の電子機器において、前記モード設定部は、前記タイムゾーン確認モードを設定した後、前記操作手段の操作がない状態で予め設定されたモード継続時間が経過すると、前記タイムゾーン確認モードを終了させることが好ましい。
【００２７】
本発明によれば、タイムゾーン確認モードは、操作手段の操作がない状態でモード継続時間が経過すると、自動的に終了するため、ユーザーが操作手段を操作してタイムゾーン確認モードを終了させる場合と比べて、操作を簡単にできる。
【００２８】
本発明は、衛星信号を受信する受信手段と、表示手段と、操作手段と、を備える電子機器の制御方法であって、タイムゾーンデータの表示を指示する前記操作手段の第１操作を検出すると、設定されているタイムゾーンデータを前記表示手段に表示させ、前記表示手段にタイムゾーンデータを表示させている場合に、測位モードの受信開始を指示する前記操作手段の第２操作を検出すると、前記受信手段を作動して測位モードの受信処理を実行し、位置情報を取得し、取得した位置情報に基づいてタイムゾーンデータを設定することを特徴とする。
本発明によれば、上記電子機器の発明と同様の効果を得ることができる。
【図面の簡単な説明】
【００２９】
【図１】本発明の実施形態に係る電子時計を示す概略図である。
【図２】実施形態における電子時計の正面図である。
【図３】実施形態における電子時計の断面図である。
【図４】実施形態における制御ブロック図である。
【図５】実施形態における記憶装置のデータ構造図である。
【図６】実施形態における制御装置が実行する処理を示すフローチャートである。
【図７】実施形態における電子時計のタイムゾーン確認モードの表示例を示す図である。
【図８】実施形態における電子時計の測時モードの受信処理時の表示例を示す図である。
【図９】実施形態における電子時計の測位モードの受信処理時の表示例を示す図である。
【図１０】実施形態における電子時計の受信結果の表示例を示す図である。
【図１１】実施形態における電子時計のタイムゾーン設定モードの表示例を示す図である。
【発明を実施するための形態】
【００３０】
以下、本発明の具体的な実施形態を図面に基づいて説明する。
図１は、本実施形態の電子時計１０を示す概略図である。
電子機器としての電子時計１０は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００３１】
［電子時計の概略構成］
図２は、電子時計１０の正面図であり、図３は、電子時計１０の概略を示す断面図である。
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
外装ケース３０の側面には、文字板１１の中心より、２時方向の位置にＡボタン５１と、４時方向の位置にＢボタン５２と、３時方向の位置にリューズ５５とが設けられている。
【００３２】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、駆動機構１４０などが備えられている。駆動機構１４０は、図２に示す各指針２１，２２，２３，６１，７１，８１，８２，９１およびカレンダー車１６を駆動する。
指針軸２５は、外装ケース３０の平面視中心を通り、表裏方向に延在する中心軸に沿って設けられている。
【００３３】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面とによりドーナツ形状の収納空間が形成されており、この収納空間内には、リング状のアンテナ体１１０が収納されている。
【００３４】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。文字板１１、ソーラーパネル１３５および地板１２５には、指針軸２５と、指針６１，７１，８１，８２，９１の指針軸（図示せず）とが貫通する穴が形成されているとともに、カレンダー小窓１５の開口部が形成されている。
【００３５】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより各指針を駆動する。
駆動機構１４０は、具体的には、第１〜第６駆動機構を備える。第１駆動機構は、第１時刻（ローカルタイム）の「分」および「時」を示す指針２２（分針）および指針２３（時針）を駆動する。また、図２に示す指針２１，６１，７１，８１，８２，９１も同様の駆動機構（図示略）で駆動される。すなわち、第２駆動機構は第１時刻の「秒」を示す指針２１を駆動し、第３駆動機構は曜日を示す指針６１を駆動し、第４駆動機構はモードなどを示す指針７１を駆動し、第５駆動機構は、第２時刻（ホームタイム）の「分」および「時」を示す指針８１（分）、指針８２（時）および第２時刻の午前および午後を示す指針９１を駆動し、第６駆動機構は、カレンダー小窓１５から視認されるカレンダー車１６を駆動する。
【００３６】
回路基板１２０は、受信装置（ＧＰＳモジュール）１２１、制御装置３００、記憶装置２００を備えている。また、この回路基板１２０とアンテナ体１１０とは、アンテナ接続ピン１１５を用い接続されている。受信装置１２１、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００３７】
［電子時計の表示機構］
文字板１１の外周部を囲むダイヤルリング４０の内周側には、図２に示すように、内周を６０分割にする目盛が表記されている。この目盛を用いて、指針２１は通常時に第１時刻の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング４０には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン５１を３秒未満押すことで行われる。
【００３８】
指針６１は、文字板１１の中心から２時方向の位置に設けられている。指針６１の回転領域の外周には、七曜を示す、「Ｓ」、「Ｍ」、「Ｔ」、「Ｗ」、「Ｔ」、「Ｆ」、「Ｓ」の英字が表記されている。指針６１は、「Ｓ」〜「Ｓ」のいずれかを指示することで、曜日を表示する。
【００３９】
指針７１は、文字板１１の中心から１０時方向の位置に設けられている。以下、指針７１の回転領域の外周の表記について説明するが、「ｎ時方向」（ｎは任意の自然数）とあるのは、指針７１の指針軸から回転領域の外周をみたときの方向である。
指針７１の回転領域の６時方向から７時方向の範囲の外周には、「ＤＳＴ」の英字と「○」の記号が表記されている。ＤＳＴ（daylight saving time）は夏時間を意味する。指針７１は、これらの英字と記号を指示することで、夏時間（ＤＳＴ：夏時間ＯＮ、○：夏時間ＯＦＦ）の設定を表示する。
【００４０】
指針７１の回転領域の８時方向から９時方向までの範囲の外周には、円周に沿って、９時方向の基端が太く、８時方向の先端が細い三日月鎌状の記号７２が表記されている。この記号７２は二次電池１３０（図３参照）のパワーインジケーターであり、電池残量に応じた位置を指針７１が指示することで電池残量が表示される。なお、指針７１は、通常時、記号７２を指示している。
【００４１】
指針７１の回転領域の１０時方向の外周には、飛行機形状の記号７３が表記されている。この記号は、機内モードを表す。航空機の離着陸時は、航空法によって衛星信号の受信が禁止されている。指針７１は、記号７３を指示することで、機内モードに設定され、受信が行われないことを表示する。
【００４２】
指針７１の回転領域の１１時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００４３】
指針８１，８２は、文字板１１の中心から６時方向の位置に設けられている。指針８１は、第２時刻の「分」を表示し、指針８２は、第２時刻の「時」を表示する。
指針９１は、文字板１１の中心から４時方向の位置に設けられ、第２時刻の午前および午後を表示する。
カレンダー小窓１５は、文字板１１を矩形状に開口した開口部に設けられており、開口部からカレンダー車１６に印刷された数字が視認可能となっている。この数字は、年月日の「日」を表す。
【００４４】
またダイヤルリング４０には、内周側の目盛に沿って、協定世界時（ＵＴＣ）との時差を表す時差情報４５が、数字と数字以外の記号とで表記されている。数字の時差情報４５は整数の時差であり、記号の時差情報４５は整数以外の時差であることを表している。指針２１，２２，２３で表示された第１時刻と、ＵＴＣとの時差は、Ｂボタン５２を押すことにより指針２１が指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５や都市情報３５の表記をタイムゾーン表示４６という。本実施形態では、全世界で使用されているタイムゾーンの数と等しいタイムゾーン表示４６が表記されている。
【００４５】
［電子時計の内部構成］
図４は、電子時計１０の制御ブロック図である。
電子時計１０は、図４に示すように、ＣＰＵ（中央処理装置）で構成される制御装置３００、ＲＡＭ（Random Access Memory）やＲＯＭ（Read Only Memory）で構成される記憶装置２００、受信装置（ＧＰＳモジュール）１２１、計時装置１５０、入力装置１６０、検出装置１７０、駆動機構１４０、表示装置１４１を備えている。これらの各装置は、データバスを介してデータを送受信する。
また、電子時計１０は、電源となる充電可能な二次電池１３０（図３参照）を内蔵している。二次電池１３０は、ソーラーパネル１３５から充電回路１３１を介して供給される電力で充電される。
【００４６】
［入力装置］
入力装置１６０は、図２に示すリューズ５５、Ａボタン５１、Ｂボタン５２を備えて構成される。ここで、入力装置１６０は、本発明の操作手段を構成する。
【００４７】
［検出装置］
検出装置１７０は、各ボタン５１，５２の押し離しや、リューズ５５の引き出し、押し込みに基づいて、各種処理の実行を指示する操作を検出し、検出した操作に応じた操作信号を制御装置３００に出力する。すなわち、検出装置１７０から出力された操作信号は、制御装置３００に入力される。
具体的には、検出装置１７０は、Ａボタン５１が３秒未満押されることで、受信結果の表示を指示する第４操作を検出し、第４操作を検出すると第４操作信号を出力する。
また、検出装置１７０は、Ａボタン５１が３秒以上６秒未満押されることで、測時モードの受信開始を指示する第３操作を検出し、第３操作を検出すると第３操作信号を出力する。
また、検出装置１７０は、Ａボタン５１が６秒以上押されることで、測位モードの受信開始を指示する第２操作を検出し、第２操作を検出すると第２操作信号を出力する。
【００４８】
また、検出装置１７０は、リューズ５５が０段位置の状態でＢボタン５２が押されることで、後述するタイムゾーン確認モードの設定を指示するタイムゾーン確認操作を検出し、タイムゾーン確認操作を検出すると確認操作信号を出力する。そして、再度Ｂボタン５２が押されることで、タイムゾーン確認モードの終了を指示するタイムゾーン確認終了操作を検出し、タイムゾーン確認終了操作を検出すると確認終了操作信号を出力する。
また、検出装置１７０は、リューズ５５が１段位置に引き出されることで、後述するタイムゾーン設定モードの設定を指示するタイムゾーン設定操作を検出し、タイムゾーン設定操作を検出すると設定操作信号を出力する。そして、リューズ５５が０段位置に押し込まれると、タイムゾーン設定モードの終了を指示するタイムゾーン設定終了操作を検出し、タイムゾーン設定終了操作を検出すると設定終了操作信号を出力する。
ここで、本実施形態では、タイムゾーン確認操作は、本発明の第１操作である。
【００４９】
［表示装置］
表示装置１４１は、図２に示す文字板１１、ダイヤルリング４０、ベゼル３２、指針２１，２２，２３，６１，７１，８１，８２，９１を備えて構成される。表示装置１４１は、本発明の表示手段を構成する。
【００５０】
［受信装置］
受信装置１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星１００（図１参照）から送信され、図３に示すカバーガラス３３とダイヤルリング４０とを通過した衛星信号の電波を受信する。ここで、受信装置１２１は、本発明の受信手段を構成する。
【００５１】
そして、受信装置１２１は、図示を略すが、通常のＧＰＳ装置と同様に、ＧＰＳ衛星１００（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。
【００５２】
［計時装置］
計時装置１５０は、二次電池１３０に蓄積された電力で駆動される水晶振動子等を備え、水晶振動子の発振信号に基づく基準信号を用いて時刻データを更新する。
【００５３】
［記憶装置］
記憶装置２００は、図５に示すように、時刻データ記憶部２１０と、タイムゾーンデータ記憶部２２０とを備えている。
時刻データ記憶部２１０には、受信時刻データ２１１と、閏秒更新データ２１２と、内部時刻データ２１３と、第１表示用時刻データ２１４と、第２表示用時刻データ２１５と、第１タイムゾーンデータ２１６と、第２タイムゾーンデータ２１７とが記憶される。
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報（ＧＰＳ時刻）が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００５４】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００５５】
第１表示用時刻データ２１４には、内部時刻データ２１３の内部時刻情報に、第１タイムゾーンデータ２１６のタイムゾーンデータ（時差情報）を加味した時刻情報が記憶される。第１タイムゾーンデータ２１６は、ユーザーが手動で選択した場合や測位モードで受信した場合に得られるタイムゾーンデータで設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２タイムゾーンデータ２１７のタイムゾーンデータを加味した時刻情報が記憶される。第２タイムゾーンデータ２１７は、ユーザーが手動で選択した場合に得られるタイムゾーンデータで設定される。ここで、第２表示用時刻データ２１５の時刻情報は、指針８１，８２、９１によって表示される第２時刻に相当する。
【００５６】
タイムゾーンデータ記憶部２２０は、位置情報（緯度、経度）とタイムゾーンデータ（時差情報）とを関連付けて記憶している。このため、測位モードで位置情報を取得した場合、制御装置３００は、その位置情報（緯度、経度）に基づいてタイムゾーンデータを取得できるようにされている。
【００５７】
なお、タイムゾーンデータ記憶部２２０には、さらに、都市名とタイムゾーンデータとを関連付けて記憶されている。したがって、ユーザーがリューズ５５の操作によって、現地時刻を知りたい都市名を選択すると、制御装置３００は、タイムゾーンデータ記憶部２２０に対してユーザーが設定した都市名を検索し、その都市名に対応するタイムゾーンデータを取得して、第１タイムゾーンデータ２１６、または、第２タイムゾーンデータ２１７に設定する。なお、この手動によるタイムゾーンデータの設定方法の詳細については後述する。
【００５８】
［制御装置］
制御装置３００は、電子時計１０を制御するＣＰＵで構成されている。制御装置３００は、測時部３１０、測位部３２０、モード設定部３３０、表示制御部３４０、タイムゾーン設定部３５０、時刻修正部３６０を備える。各部の機能は、以降の制御装置３００が実行する処理で説明する。
【００５９】
ボタンが押されたときに制御装置３００が実行する処理について説明する。図６は制御装置３００が実行する処理を示すフローチャートである。
通常時刻表示モード（Ｓ１１）において、制御装置３００は、検出装置１７０から入力される操作信号に基づいて、ボタン操作を常に判定している（Ｓ１２）。なお、通常時刻表示モードでは、リューズ５５は０段位置に押し込まれている。
【００６０】
通常時刻表示モードにおいて、Ａボタン５１が押されたと判定すると（Ｓ１２）、制御装置３００は、Ａボタン５１が継続して押された時間を判定する（Ｓ１３）。
そして、通常時刻表示モードにおいて、Ａボタン５１が３秒以上６秒未満押され（測時モードの強制受信操作）、検出装置１７０から第３操作信号が入力されると、測時部３１０は、受信装置１２１を作動して測時モードでの受信処理を行う（Ｓ１４）。
測時モードでの受信処理が行われると、受信装置１２１は、少なくとも１つのＧＰＳ衛星１００を捕捉し、そのＧＰＳ衛星１００から送信される衛星信号を受信して時刻情報を取得する。
また、表示制御部３４０は、指針２１に０秒位置を指示させ、指針７１に「１」を指示させることで、測時モードで受信処理が実行されていることを表示させる。なお、指針２１に０秒位置を指示させるため、指針２１が「Ｙ」や「Ｎ」を指示することがない。このため、指針２１がたまたま「Ｙ」や「Ｎ」を指示することで、ユーザーが、受信結果が表示されていると誤って認識してしまうこともない。そして、受信処理が終了すると、表示制御部３４０は、指針２１に「Ｙ」または「Ｎ」を一定時間指示させて受信結果を表示させる。
【００６１】
時刻情報の取得に成功した場合、時刻修正部３６０は、取得した時刻情報を受信時刻データ２１１に記憶する。これにより、内部時刻データ２１３、第１表示用時刻データ２１４、第２表示用時刻データ２１５が修正される（Ｓ１５）。
その後、Ｓ１１で、制御装置３００は、通常時刻表示モードに戻り、表示制御部３４０は、指針２１に第１時刻の「秒」を表示させる。
【００６２】
また、通常時刻表示モードにおいて、Ａボタン５１が６秒以上押され（測位モードの強制受信操作）、検出装置１７０から第２操作信号が入力されると、測位部３２０は、受信装置１２１を作動して測位モードでの受信処理を行う（Ｓ１６）。
測位モードでの受信処理が行われると、受信装置１２１は、少なくとも３個、好ましくは４個以上のＧＰＳ衛星１００を捕捉し、各ＧＰＳ衛星１００から送信される衛星信号を受信して位置情報を算出して取得する。また、受信装置１２１は、衛星信号を受信した際に時刻情報も同時に取得できる。
また、表示制御部３４０は、指針２１に３０秒位置を指示させ、指針７１に「４＋」を指示させることで、測位モードで受信処理が実行されていることを表示させる。なお、指針２１に３０秒位置を指示させるため、指針２１が「Ｙ」や「Ｎ」を指示することがない。このため、指針２１がたまたま「Ｙ」や「Ｎ」を指示することで、ユーザーが、受信結果が表示されていると誤って認識してしまうこともない。そして、受信処理が終了すると、表示制御部３４０は、指針２１に「Ｙ」または「Ｎ」を一定時間指示させて受信結果を表示させる。
【００６３】
受信処理で位置情報の取得に成功した場合、タイムゾーン設定部３５０は、取得された位置情報（緯度、経度）に基づいてタイムゾーンデータを設定する（Ｓ１７）。具体的には、タイムゾーンデータ記憶部２２０から位置情報に対応するタイムゾーンデータ（タイムゾーン情報つまり時差情報）を選択して取得し、第１タイムゾーンデータ２１６に記憶（設定）する。
例えば、日本標準時（ＪＳＴ）は、ＵＴＣに対して９時間進めた時刻（ＵＴＣ＋９）であるため、取得した位置情報が日本である場合には、タイムゾーン設定部３５０は、タイムゾーンデータ記憶部２２０から日本標準時の時差情報（＋９時間）を読み出して第１タイムゾーンデータ２１６に記憶する。
【００６４】
受信処理で時刻情報の取得に成功した場合、時刻修正部３６０は、取得した時刻情報を受信時刻データ２１１に記憶する。これにより、内部時刻データ２１３、第１表示用時刻データ２１４、第２表示用時刻データ２１５が修正される。
また、時刻修正部３６０は、第１表示用時刻データ２１４を、第１タイムゾーンデータ２１６を用いて修正する（Ｓ１８）。このため、第１表示用時刻データ２１４は、ＵＴＣである内部時刻データ２１３にタイムゾーンデータを加算した時刻となる。
その後、Ｓ１１で、制御装置３００は、通常時刻表示モードに戻り、表示制御部３４０は、指針２１に第１時刻の「秒」を表示させる。
【００６５】
また、通常時刻表示モードにおいて、Ａボタン５１が３秒未満押され（受信結果表示操作）、検出装置１７０から第４操作信号が入力されると、表示制御部３４０は、指針２１に「Ｙ」または「Ｎ」を指示させることで、直前の受信処理の受信結果を表示させる（Ｓ１９）。また、表示制御部３４０は、指針７１に「１」または「４＋」を指示させることで、直前の受信処理の受信モードを表示させる。その後、Ｂボタン５２が押されるか、表示時間（例えば５秒）が経過すると、Ｓ１１で、制御装置３００は、通常時刻表示モードに戻り、表示制御部３４０は、指針２１に第１時刻の「秒」を表示させる。
【００６６】
また、通常時刻表示モードにおいて、Ｂボタン５２が押され（タイムゾーン確認操作）、検出装置１７０から確認操作信号が入力されると、モード設定部３３０はタイムゾーン確認モードを設定する（Ｓ２０）。表示制御部３４０は、図７に示すように、指針２１にタイムゾーン表示４６を指示させることで、第１タイムゾーンデータ２１６に記憶されているタイムゾーンデータを表示させる。また、表示制御部３４０は、指針７１に「ＤＳＴ」または「○」を指示させることで、夏時間の設定を表示させる。
【００６７】
モード設定部３３０は、タイムゾーン確認モードを設定した後、予め設定されたモード継続時間（例えば５秒）が経過したか否かを判定する（Ｓ２１）。
Ｓ２１でＮＯと判定された場合、制御装置３００は、検出装置１７０から入力される操作信号に基づいて、ボタン操作を判定する（Ｓ２２）。そして、ボタン操作がない場合、制御装置３００は、処理をＳ２１に戻す。すなわち、モード継続時間が経過するか、ボタン操作があるまで、制御装置３００は、Ｓ２１，Ｓ２２の処理を繰り返し実行する。
【００６８】
タイムゾーン確認モードにおいて、タイムゾーンデータが表示された状態で、Ａボタン５１が押されたと判定する場合（Ｓ２２）、Ｓ１３で、制御装置３００は、Ａボタン５１が継続して押された時間を判定する。
タイムゾーン確認モードにおいて、タイムゾーンデータが表示された状態で、Ａボタン５１が３秒以上６秒未満押され（測時モードでの強制受信操作）、検出装置１７０から第３操作信号が入力されると、Ｓ１４で、測時部３１０は測時モードでの受信処理を行う。
また、表示制御部３４０は、図８に示すように、タイムゾーンデータを表示していた指針２１に０秒位置を指示させ、指針７１に「１」を指示させることで、測時モードで受信処理が実行されていることを表示させる。
そして、受信処理が終了すると、表示制御部３４０は、指針２１に受信結果を一定時間表示させる。
そして、時刻情報の取得に成功した場合、Ｓ１５で、時刻修正部３６０は、取得した時刻情報を受信時刻データ２１１に記憶する。これにより、内部時刻データ２１３、第１表示用時刻データ２１４、第２表示用時刻データ２１５が修正される。
その後、Ｓ１１で、制御装置３００は、通常時刻表示モードに戻り、表示制御部３４０は、指針２１に第１時刻の「秒」を表示させる。
【００６９】
また、タイムゾーン確認モードにおいて、タイムゾーンデータが表示された状態で、Ａボタン５１が６秒以上押され（測位モードの強制受信操作）、検出装置１７０から第２操作信号が入力されると、Ｓ１６で、測位部３２０は測位モードでの受信処理を行う。
また、表示制御部３４０は、図９に示すように、タイムゾーンデータを表示していた指針２１に３０秒位置を指示させ、指針７１に「４＋」を指示させることで、測位モードで受信処理が実行されていることを表示させる。
そして、受信処理が終了すると、表示制御部３４０は、指針２１に受信結果を一定時間表示させる。
そして、受信処理で位置情報の取得に成功した場合、Ｓ１７で、タイムゾーン設定部３５０は、取得された位置情報（緯度、経度）に基づいてタイムゾーンデータを設定する。
そして、Ｓ１８で、受信処理で時刻情報の取得に成功した場合、時刻修正部３６０は、取得した時刻情報を受信時刻データ２１１に記憶する。これにより、内部時刻データ２１３、第１表示用時刻データ２１４、第２表示用時刻データ２１５が修正される。また、時刻修正部３６０は、第１表示用時刻データ２１４を、第１タイムゾーンデータ２１６を用いて修正する。
その後、Ｓ１１で、制御装置３００は、通常時刻表示モードに戻り、表示制御部３４０は、指針２１に第１時刻の「秒」を表示させる。
【００７０】
また、タイムゾーン確認モードにおいて、Ａボタン５１が３秒未満押され（受信結果表示操作）、検出装置１７０から第４操作信号が入力されると、Ｓ１９で、表示制御部３４０は、図１０に示すように、タイムゾーンデータを表示していた指針２１に「Ｙ」または「Ｎ」を指示させることで、直前の受信処理の受信結果を表示させる。また、表示制御部３４０は、指針７１に「１」または「４＋」を指示させることで、直前の受信処理の受信モードを表示させる。その後、Ｂボタン５２が押されるか、表示時間（例えば５秒）が経過すると、Ｓ１１で、制御装置３００は、通常時刻表示モードに戻り、表示制御部３４０は、指針２１に第１時刻の「秒」を表示させる。
【００７１】
また、タイムゾーン確認モードにおいて、Ｓ２１でＹＥＳと判定された場合、または、Ｂボタン５２が押され（タイムゾーン確認終了操作）、検出装置１７０から確認終了操作信号が入力されると、モード設定部３３０は、タイムゾーン確認モードを終了させ、制御装置３００は、通常時刻表示モードに戻り、表示制御部３４０は、タイムゾーンデータを表示していた指針２１に、第１時刻の「秒」を表示させる。
【００７２】
［タイムゾーン設定処理］
次に、制御装置３００が実行するタイムゾーン設定処理について説明する。
図１１に示すように、リューズ５５が１段位置に引き出されると、つまりタイムゾーン設定操作が行われ、検出装置１７０から設定操作信号が入力されると、モード設定部３３０はタイムゾーン設定モードを設定する。そして、表示制御部３４０は、指針２１にタイムゾーン表示４６を指示させることで、第１タイムゾーンデータ２１６に記憶されているタイムゾーンデータを表示させる。また、Ｂボタン５２が押されることで、表示制御部３４０は、指針２１に第２タイムゾーンデータ２１７に記憶されているタイムゾーンデータを表示させる。このように、Ｂボタン５２を押して表示を切り替えることで、タイムゾーンデータを設定する対象を、第１タイムゾーンデータ２１６と第２タイムゾーンデータ２１７とで切り替えて選択できる。
そして、リューズ５５を回転操作（タイムゾーン変更操作）して、指針２１に任意のタイムゾーン表示４６を指示させることで、タイムゾーンデータを選択できる。
【００７３】
そして、タイムゾーン設定部３５０は、指針２１が指示しているタイムゾーン表示４６に基づいてタイムゾーンデータを設定する。具体的には、タイムゾーンデータ記憶部２２０から、指針２１が指示しているタイムゾーン表示４６に対応するタイムゾーンデータを選択して取得する。そして、第１タイムゾーンデータ２１６が選択されている場合には、取得したタイムゾーンデータを第１タイムゾーンデータ２１６に記憶（設定）し、第２タイムゾーンデータ２１７が選択されている場合には、取得したタイムゾーンデータを第２タイムゾーンデータ２１７に記憶（設定）する。
このようにして、第１タイムゾーンデータ２１６または第２タイムゾーンデータ２１７にタイムゾーンデータを選択して設定できる。
そして、時刻修正部３６０は、第１表示用時刻データ２１４または第２表示用時刻データ２１５を、第１タイムゾーンデータ２１６または第２タイムゾーンデータ２１７を用いて修正する。
すなわち、リューズ５５が回転操作されて指針２１が指示するタイムゾーン表示４６が１つ進められたり１つ戻されたりする毎に、表示される第１時刻または第２時刻も変更される。このため、ユーザーは、第１時刻または第２時刻を確認しながら、タイムゾーンデータを変更することができる。
そして、リューズ５５が０段位置に押し込まれ（タイムゾーン設定終了操作）、検出装置１７０から設定終了操作信号が入力されると、モード設定部３３０は、タイムゾーン設定モードを終了させ、制御装置３００は、通常時刻表示モードに戻る。これにより、タイムゾーンデータが確定される。
【００７４】
なお、本実施形態では、タイムゾーン設定モードが設定された場合に、第２操作（測位モードの強制受信操作）、第３操作（測時モードの強制受信操作）が行われても、測位部３２０、測時部３１０は、受信処理を実行しない。また、第４操作が行われても、表示制御部３４０は、受信結果を表示させない。
【００７５】
［実施形態の作用効果］
ユーザーは、タイムゾーン確認操作を行って設定されているタイムゾーンデータを表示装置１４１に表示させた後、測位部３２０に受信処理を実行させる場合、入力装置１６０を操作してタイムゾーンデータの表示を終了させる必要がなく、タイムゾーンデータが表示されている状態で第２操作を行えばよいので、操作を簡単にできる。また、操作時間を短くできるため、測位モードの受信処理を早く実行させることができ、時刻修正を早く行うことができる。
【００７６】
測位モードの強制受信操作（Ａボタン５１を６秒以上押す操作）が、タイムゾーン確認モードと通常時刻表示モードとで同じとなる。このため、測位モードの強制受信操作が、タイムゾーン確認モードと通常時刻表示モードとで異なる場合と比べて、ユーザーが操作を覚え易くできる。
【００７７】
ユーザーは、タイムゾーン確認操作を行って設定されているタイムゾーンデータを表示装置１４１に表示させた後、測時部３１０に受信処理を実行させる場合、入力装置１６０を操作してタイムゾーンデータの表示を終了させる必要がなく、タイムゾーンデータが表示されている状態で第３操作を行えばよいので、操作を簡単にできる。また、操作時間を短くできるため、測時モードの受信処理を早く実行させることができ、時刻修正を早く行うことができる。
【００７８】
測時モードの強制受信操作（Ａボタン５１を３秒以上６秒未満押す操作）が、タイムゾーン確認モードと通常時刻表示モードとで同じとなる。このため、測時モードの強制受信操作が、タイムゾーン確認モードと通常時刻表示モードとで異なる場合と比べて、ユーザーが操作を覚え易くできる。
【００７９】
タイムゾーン確認操作が行われると、指針２１は設定されているタイムゾーンデータを指示するため、ユーザーは、指針２１を確認することで、設定されているタイムゾーンデータを把握できる。さらに、この状態で第２操作または第３操作が行われ、受信処理が実行されると、指針２１，７１は受信モードを指示するため、ユーザーは、指針２１，７１を確認することで、受信処理が実行されていることを把握でき、かつ、受信処理が測位モードか測時モードかを把握できる。
また、タイムゾーンデータおよび受信モードは、センター針であり、指示領域が最も大きい指針２１で指示されるため、タイムゾーンデータおよび受信モードを分かり易く表示できる。
【００８０】
ユーザーは、タイムゾーン確認操作を行って設定されているタイムゾーンデータを表示装置１４１に表示させた後、受信結果を表示させる場合、入力装置１６０を操作してタイムゾーンデータの表示を終了させる必要がなく、タイムゾーンデータが表示されている状態で第４操作を行えばよいので、操作を簡単にできる。
【００８１】
タイムゾーン設定モードが設定され、例えば、ユーザーが入力装置１６０を操作して現在地とは異なる地域のタイムゾーンデータを設定したい場合に、誤って第２操作を行ったとしても、測位部３２０は受信処理を実行しないため、当該受信処理によって現在地のタイムゾーンデータが設定されることを防止できる。
【００８２】
ユーザーは、リューズ５５が０段位置の状態でＢボタン５２を押すことで、タイムゾーン確認操作を行うことができるので、リューズ５５を１段位置や２段位置に引き出すことでタイムゾーン確認操作が行われる場合と比べて、タイムゾーン確認操作を簡単にできる。
このため、ユーザーは、タイムゾーン確認操作を行ってタイムゾーン確認モードを設定することで、設定されているタイムゾーンデータを簡単な操作で確認できる。また、ユーザーは、タイムゾーン確認モードを終了させる場合、リューズ５５を０段位置に戻す必要がないため、リューズ５５の戻し忘れを防止できる。
【００８３】
ユーザーは、タイムゾーン確認終了操作を行うことで、直ちにタイムゾーン確認モードを終了させ、通常表示モードに戻すことができる。
また、タイムゾーン確認モードは、入力装置１６０の操作がない状態でモード継続時間が経過すると、自動的に終了するため、ユーザーが入力装置１６０を操作してタイムゾーン確認モードを終了させる場合と比べて、操作を簡単にできる。
【００８４】
［他の実施形態］
なお、本発明は前述の実施形態に限定されるものではなく、本発明の目的を達成できる範囲での変形、改良等は本発明に含まれるものである。
前記実施形態では、タイムゾーン設定モードが設定された場合に、第２操作、第３操作が行われても、測位部３２０、測時部３１０は、受信処理を実行しないが、本発明はこれに限定されない。すなわち、この場合、測位部３２０、測時部３１０は、受信処理を実行してもよい。また、前記実施形態では、タイムゾーン設定モードが設定された場合に、第４操作が行われても、表示制御部３４０は受信結果を表示させないが、表示させるようにしてもよい。
これらによれば、タイムゾーン設定モードが設定された場合に、測位部３２０、測時部３１０に受信処理を実行させる場合、または、受信結果を表示させる場合、入力装置１６０を操作してタイムゾーンデータの表示を終了させる必要がなく、タイムゾーンデータが表示されている状態で第２操作、第３操作、または第４操作を行えばよいので、操作を簡単にできる。
【００８５】
前記実施形態では、モード設定部３３０は、タイムゾーン確認モードとタイムゾーン設定モードを設定するが、本発明はこれに限定されない。すなわち、モード設定部３３０は、タイムゾーン設定モードのみ設定してもよい。そして、タイムゾーン設定モードが設定された場合に、第２操作、第３操作、または第４操作が行われると、受信処理または受信結果表示が実行されるようにしてもよい。
【００８６】
前記実施形態では、タイムゾーン確認モードが設定された場合、測時モードの強制受信操作（第３操作）および測位モードの強制受信操作（第２操作）が行われると、受信処理が実行されるが、本発明はこれに限定されない。すなわち、測位モードの強制受信操作が行われた場合にのみ、受信処理が実行されるようにしてもよい。
また、前記実施形態では、タイムゾーン確認モードが設定された場合、受信結果表示操作（第４操作）が行われると受信結果が表示されるが、本発明はこれに限定されない。すなわち、受信結果表示操作が行われた場合、受信結果が表示されなくてもよい。
具体的には、図６に示した制御装置３００が実行する処理において、タイムゾーン確認モードが設定された状態で、Ｓ２２でＡボタン５１が押されたと判定され、Ｓ１３でＡボタン５１が３秒未満押されたと判定された場合、制御装置３００は、受信結果を表示させるＳ１９の処理を実行せずに、処理をＳ２１に戻してもよい。これによれば、タイムゾーン確認モードが設定された状態で、受信結果表示操作が行われても、タイムゾーン確認モードが継続される。
【００８７】
前記実施形態では、通常時刻表示モードとタイムゾーン確認モードとで、測時モードおよび測位モードの強制受信操作が同じ操作（Ａボタン３秒以上６秒未満押し、および、Ａボタン６秒以上押し）であるが、本発明はこれに限定されない。例えば、押されるボタンが異なっていてもよいし、ボタンが押される時間が異なっていてもよい。
タイムゾーン確認モードで受信処理を実行させる場合、Ｂボタン５２を押してタイムゾーン確認モードを設定し、さらに、Ａボタン５１を押す必要があるため、誤操作によりタイムゾーン確認モードで受信処理が実行される可能性は比較的低い。このため、タイムゾーン確認モードにおける強制受信操作では、ボタンを押す時間を通常時刻表示モードより短く設定してもよい。これによれば、タイムゾーン確認モードにおける強制受信操作の時間を短くでき、操作をより簡単にできる。
【００８８】
また、前記実施形態では、タイムゾーン確認モードにおいて、第２操作または第３操作が行われると、指針２１，７１は受信モードを指示するが、本発明はこれに限定されない。例えば、指針２１，７１は、受信モードを指示しない構成としてもよい。
また、指針２１は受信モードを指示し、指針７１は受信モードを指示しない構成としてもよい。この場合、１つの指針２１でタイムゾーンデータと受信モードが指示されるため、異なる指針でタイムゾーンデータと受信モードが指示される場合と比べて、電子時計１０が備える指針の数を少なくできる。また、指針２１は受信モードを指示せず、指針７１は受信モードを指示する構成としてもよい。
また、前記実施形態では、タイムゾーン確認モードにおいて、第２操作または第３操作が行われると、受信処理が終了するまで、指針２１は受信モードを指示するが、本発明はこれに限定されない。例えば、指針２１は、第２操作または第３操作が行われてから最初の数秒間だけ受信モードを指示し、その後は受信処理が終了するまで、受信装置１２１が捕捉しているＧＰＳ衛星１００の数（衛星捕捉数）を表示してもよい。衛星捕捉数は、例えば、指針２１が捕捉数に対応した「時」を指示することで表示できる。例えば、捕捉衛星数が１の場合、指針２１は１時位置を指示し、捕捉衛星数が４の場合、指針２１は４時位置を指示する。
【００８９】
前記実施形態では、指針２１は０秒位置を指示することで測時モードを指示し、３０秒位置を指示することで測位モードを指示しているが、本発明はこれに限定されない。すなわち、指示位置が互いに異なれば、指示位置は０秒位置および３０秒位置に限定されない。また、文字板１１の外周に測時モードおよび測位モードを示す記号を表記し、指針２１がこれらの記号を指示することで、測時モードおよび測位モードを指示する構成としてもよい。
【００９０】
前記実施形態では、タイムゾーン確認モードが設定された場合に、受信処理または受信結果の表示が終了すると、制御装置３００は、通常時刻表示モードに戻るが、本発明はこれに限定されない。すなわち、タイムゾーン確認モードに戻ってもよい。
【００９１】
前記実施形態では、検出装置１７０は、Ａボタン５１が押された時間（秒数）を判定して、第２操作、第３操作、第４操作を検出しているが、本発明はこれに限定されない。すなわち、検出装置１７０がＡボタン５１が押されたことを検出し、制御装置３００がＡボタン５１が押された時間（秒数）を検出することで、第２操作、第３操作、第４操作を検出するようにしてもよい。
【００９２】
前記実施形態では、電子時計１０は、文字板１１や指針等からなる表示装置１４１を備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【００９３】
本発明の電子機器は、腕時計（電子時計）に限定されず、例えば、携帯電話、登山等に用いられる携帯型のＧＰＳ受信機等、二次電池で駆動されて位置情報衛星から送信される衛星信号を受信する装置に広く利用できる。
【００９４】
前記実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【００９５】
１０…電子時計、１２１…受信装置、１４１…表示装置、１６０…入力装置、１７０…検出装置、２１…指針、２１６…第１タイムゾーンデータ、２１７…第２タイムゾーンデータ、３１０…測時部、３２０…測位部、３３０…モード設定部、３４０…表示制御部、３５…都市情報、３５０…タイムゾーン設定部、３６０…時刻修正部、４５…時差情報、４６…タイムゾーン表示、５１…Ａボタン、５２…Ｂボタン、５５…リューズ。
【図１】
0006455240.tif 000002
【図２】
0006455240.tif 000003
【図３】
0006455240.tif 000004
【図４】
0006455240.tif 000005
【図５】
0006455240.tif 000006
【図６】
0006455240.tif 000007
【図７】
0006455240.tif 000008
【図８】
0006455240.tif 000009
【図９】
0006455240.tif 000010
【図１０】
0006455240.tif 000011
【図１１】
0006455240.tif 000012